(57)【要約】  本発明は、イーサネットを基礎とするＰＯＮ（パッシブ・オプティカル・ネットワーク）を構成する加入者側の光回線終端装置（ＯＮＵ）に関し、この加入者側の光回線終端装置は光トランシーバモジュールと、前記光トランシーバモジュールに供給される電力をオンオフする電力スイッチと、ｒｅｇｉｓｔｅｒ＿ｒｅｑｕｅｓｔメッセージの受信後にＯＬＴから受信したｒｅｇｉｓｔｅｒメッセージに依存して前記電力スイッチを制御することにより前記光トランシーバモジュールの送信側への電力を遮断するよう構成されているコントローラとを有する。
2009539290.tif 000002
【特許請求の範囲】
【請求項１】
イーサネットを基礎とするＰＯＮ（パッシブ・オプティカル・ネットワーク）を構成する加入者側の光回線終端装置（ＯＮＵ）において、
光トランシーバモジュールと、
前記光トランシーバモジュールに供給される電力をオンオフする電力スイッチと、
登録要求（ｒｅｇｉｓｔｅｒ＿ｒｅｑｕｅｓｔ）メッセージの受信後にＯＬＴから受信した登録メッセージに依存して前記電力スイッチを制御することにより前記光トランシーバモジュールの送信側への電力を遮断するよう構成されているコントローラとを有することを特徴とする、加入者側の光回線終端装置。
【請求項２】
所定の時間にわたり登録要求（ｒｅｇｉｓｔｅｒ＿ｒｅｑｕｅｓｔ）メッセージが繰り返し伝送されたにもかかわらず登録（ｒｅｇｉｓｔｅｒ）メッセージが受信されない場合には最終的に前記送信側への電力を遮断し、他方では、前記登録要求（ｒｅｇｉｓｔｅｒ＿ｒｅｑｕｅｓｔ）メッセージが伝送された後の所定の時間（Ｔ１）内に前記登録（ｒｅｇｉｓｔｅｒ）メッセージが受信されない場合には前記光トランシーバモジュールの前記送信側への電力を遮断する、請求項１記載のコントローラを有する加入者側の光回線終端装置（ＯＮＵ）。
【請求項３】
前記コントローラは０〜Ｔ２（Ｔ２＞Ｔ１）のランダム遅延後に前記光トランシーバモジュールの前記送信側への電力を制御する、請求項２記載の加入者側の光回線終端装置（ＯＮＵ）。
【請求項４】
前記ＯＬＴによって伝送された光伝送遮断メッセージに応答して、前記送信側への電力供給の遮断制御を行う、請求項１記載の加入者側の光回線終端装置（ＯＮＵ）。
【請求項５】
イーサネットを基礎とするＰＯＮ（パッシブ・オプティカル・ネットワーク）を構成する局側の光回線終端装置（ＯＬＴ）において、
光トランシーバモジュールと、
前記光トランシーバモジュールの送信側を介してＯＮＵから信号が定期的に送信されているかを監視することによりエラーを検出するエラー検出装置と、
前記エラー検出装置によってエラーが検出されたＯＮＵに光信号遮断メッセージを送信するよう構成されているコントローラとを有することを特徴とする、局側の光回線終端装置（ＯＬＴ）。
【請求項６】
イーサネットを基礎とするＰＯＮ（パッシブ・オプティカル・ネットワーク）を構成する加入者側の光回線終端装置（ＯＮＵ）による制御方法において、
前記ＯＮＵの送信側に電力を供給することによってメッセージを伝送する第１段階と、
登録（ｒｅｇｉｓｔｅｒ）メッセージがタイマカウンタの開始から終了までの間に受信されるかを検査する第２段階と、
前記登録（ｒｅｇｉｓｔｅｒ）メッセージが受信されない場合に前記送信側への電力を遮断した後に所定の時間にわたり前記第１段階および前記第２段階を繰り返す第３段階と、
所定の時間にわたり登録要求（ｒｅｇｉｓｔｅｒ＿ｒｅｑｕｅｓｔ）メッセージを繰り返し送信した後に前記登録（ｒｅｇｉｓｔｅｒ）メッセージが受信されない場合には前記送信側への電力を最終的に遮断する第４段階とを有することを特徴とする、制御方法。
【請求項７】
ＯＬＴによって伝送された伝送遮断メッセージンに応答して前記送信側への電力を遮断する第５段階を有する、請求項６記載のＯＮＵによる制御方法。
【発明の詳細な説明】
【技術分野】
【０００１】
本発明はパッシブ・オプティカル・ネットワーク（Ｐａｓｓｉｖｅ  Ｏｐｔｉｃａｌ  Ｎｅｔｗｏｒｋ；ＰＯＮ）、殊にイーサネットを基礎とするパッシブ・オプティカル・ネットワークを構成する、加入者側の光回線終端装置（Ｏｐｔｉｃａｌ  Ｎｅｔｗｏｒｋ  Ｕｎｉｔ；ＯＮＵ）および局側の光回線終端装置（Ｏｐｔｉｃａｌ  Ｌｉｎｅ  Ｔｅｒｍｉｎａｌ；ＯＬＴ）の光信号送信側を制御する方法に関する。本発明による装置および方法は、登録要求（ｒｅｇｉｓｔｅｒ＿ｒｅｑｕｅｓｔ）メッセージが送信側によって受信された後の所定の時間にわたり登録要求メッセージがＯＬＴから受信されない限り、光信号送受信モジュールの送信側の電源を強制的に遮断するよう設計されている。その限りにおいて、不良な光モジュールまたはレーザドライバによって惹起される、ＰＯＮ（Ｐａｓｓｉｖｅ  Ｏｐｔｉｃａｌ  Ｎｅｔｗｏｒｋ）装置全体を麻痺させる問題を解決することができる。
【０００２】
［選択図］
図３
【０００３】
［キーワード］
加入者側の光回線終端装置（ＯＮＵ）、局側の光回線終端装置（ＯＬＴ）、ＰＯＮ
【０００４】
［明細書］
［発明の名称］
局側の光回線終端装置（ＯＬＴ）および加入者側の光回線終端装置（ＯＮＵ）（技術注記：実際には、加入者側の光回線終端装置（ＯＮＵ）、局側の光回線終端装置（ＯＬＴ）の送信側の制御方法）
【０００５】
［図面の簡単な説明］
図１は、一般的な（Ｇ）Ｅ−ＰＯＮ構造の概略図を示す。
図２は、（Ｇ）Ｅ−ＰＯＮにおける発見ハンドシェイク（discovery handshake）メッセージ交換を説明するための図を示す。
図３は、本発明に基づくＯＮＵコンフィギュレーションを示す。
図４は、本発明に基づくＯＮＵ送信側の制御フローを説明するフローチャートを示す。
図５は、本発明に基づくＯＬＴコンフィギュレーションを示す。
【０００６】
［発明の詳細な説明］
［発明の目的］
［本発明が属する技術分野および背景技術］
本発明はパッシブ・オプティカル・ネットワーク（Ｐａｓｓｉｖｅ  Ｏｐｔｉｃａｌ  Ｎｅｔｗｏｒｋ；ＰＯＮ）、殊にイーサネットを基礎とするパッシブ・オプティカル・ネットワークを構成する、加入者側の光回線終端装置（Ｏｐｔｉｃａｌ  Ｎｅｔｗｏｒｋ  Ｕｎｉｔ；ＯＮＵ）および局側の光回線終端装置（Ｏｐｔｉｃａｌ  Ｌｉｎｅ  Ｔｅｒｍｉｎａｌ；ＯＬＴ）の光信号送信側を制御する方法に関する。
【０００７】
ＰＯＮ（パッシブ・オプティカル・ネットワーク）は光加入者ネットワークネットワークシステムのうちの１つであり、光ファイバを基礎とする広帯域サービスを企業、ＳＯＨＯおよび一般の加入者に提供し、光ケーブルにおけるスプリッタを使用した１つのＯＬＴ（Ｏｐｔｉｃａｌ  Ｌｉｎｅ  Ｔｅｒｍｉｎａｔｉｏｎ）の複数のＯＮＵ（Ｏｐｔｉｃａｌ  Ｎｅｔｗｏｒｋ  Ｕｎｉｔ）へのアクセスを実現する。
【０００８】
ＰＯＮをＴＤＭ（時分割多重アクセス）−ＰＯＮおよびＷＤＭ（波長分割多重アクセス）−ＰＯＮに分類することができる。ＴＤＭ（Ａ）−ＰＯＮはＡＴＭを基礎とするＡＴＭ−ＰＯＮ、（ギガバイド）イーサネットを基礎とする（Ｇ）Ｅ−ＰＯＮおよび汎用フレームプロトコル（general frame protocol）を基礎とするＧ−ＰＯＮを含み、これに対し波長分割多重アクセスのＰＯＮはＷＤＭ−ＰＯＮを含む。
【０００９】
（Ｇ）Ｅ−ＰＯＮは廉価な共有光加入者ネットワークである。この（Ｇ）Ｅ−ＰＯＮにおいてはリジェネレータおよび増幅器のような能動的な外部の構成素子が省かれており、これにより光ケーブルの要求が最小になり、また中央基地局における光ポートが低減される。（Ｇ）Ｅ−ＰＯＮの受動的な装置（デバイス）は単一波長光ケーブル、受動的な光スプリッタ、カプラ、コネクタおよびスプライスを有する。図１に示されているように、ＯＬＴおよび複数のＯＮＵのようなネットワーク装置はＰＯＮの両端部に配置されている。光信号は複数の光ファイバに分割されているか統合されているＰＯＮを介して１つの光ファイバに送信されるか、光信号がアップストリームの信号であるかダウンストリームの信号であるかに依存してスプリッタおよびカプラによってネットワークに供給される。そのようなＥ−ＰＯＮシステムでは、アップストリーム伝送においてデータが衝突する可能性がある。アップストリームの信号間のそのような衝突を回避するために、ＯＬＴは図２に示されているような発見プロセス（discovery process）を実施する。図２を参照すると、ＯＬＴはＭＰＣＰ（マルチポイント制御プロトコル；Multi-Point Control Protocol）ゲートメッセージを全てのＯＮＵに送信する。それらの既に登録されているＯＮＵとは別のＯＮＵはその後にランダム遅延を伴う許可の開始時点にｒｅｇｉｓｔｅｒ＿ｒｅｑｕｅｓｔメッセージを送信する。
【００１０】
他方では、ＯＬＴが事前設定された期間にわたり発見窓（discover window）を開いてｒｅｇｉｓｔｅｒ＿ｒｅｑｕｅｓｔメッセージを受信する。ＯＬＴは種々の距離に位置する全てのＯＮＵに関するＲＴＴ（往復遅延時間；Round Trip Time）を上述のｒｅｇｉｓｔｅｒ＿ｒｅｑｕｅｓｔを用いて計算し、ＬＬＩＤ（論理リンク識別子；Logical Link Identifier）を用いてそれら全てのＯＮＵにｒｅｇｉｓｔｅｒメッセージを送信する。ＬＬＩＤが割り当てられたＯＮＵにゲートメッセージが送信されると、それらのＯＮＵは最終的にｒｅｇｉｓｔｅｒ＿ａｃｋメッセージをＯＬＴに送信し、発見ハンドシェイクプロセス（discovery handshake process）が完了する。
【００１１】
発見後のフレーム送受信方法は以下の通りである：
ダウンストリーム伝送の場合には、登録されたＯＮＵを含み、ＬＬＩＤが挿入されているプリアンブルを有するフレームをＯＬＴがＯＮＵに送信すると、ＯＮＵがユーザインタフェースとして自身の固有のＬＬＩＤを有するフレームを送信する。反対にアップストリーム伝送の場合には、ＯＮＵから周期的に受信するレポートメッセージを用いて各ＯＮＵのキューを確認した後に、ＯＬＴは許可を与えることにより全てのＯＮＵにアップストリームタイムスロットを動的に割り当てる。
【００１２】
ファイバドロップの区間に光ケーブルが接続されていないため、またはＯＮＵシステムの誤動作に起因して所定のＯＮＵがレポートメッセージのためのＯＬＴのリクエストに応答しない場合、またはＯＮＵがＯＬＴによってＯＮＵに割り当てられたタイムスロット内にレポートメッセージをＯＬＴに送信しない場合、またはＯＮＵが割り当てられたタイムスロットとは異なる時間にアップストリームＭＰＣＰメッセージまたはユーザフレームを送信する場合には、別のＯＮＵによるサービスを保証するために欠陥のあるＯＮＵの登録を強制的に取り消す。そのようなケースでは、レーザ制御信号における特定のＯＮＵの誤動作に起因して光モジュールレーザが常にオンである場合、レーザ制御信号と光モジュールレーザのエントリが反対に設定されている場合、またはレーザ制御信号の如何を問わずにレーザが常にオン状態である場合には、１つのＯＮＵがアップストリームタイムスロット全体を占有するので欠陥のあるＯＮＵだけでなく全てのＯＮＵが適切に応答しないであろうから、ＯＬＴは全てのＯＮＵの登録を取り消すことによってアップストリームアクセスを阻止する。
【００１３】
そのようなケースでは、どのＯＮＵが問題を有しているかをＯＬＴは知らないので、ＯＬＴは全てのＯＮＵを検査しなければならず、これにより欠陥があるＯＮＵが特定されるまで、正常なＯＮＵでさえもサービスにアクセスできない状況が生じる。
【００１４】
［発明が解決しようとする課題］
本発明は、（Ｇ）Ｅ−ＰＯＮにおける特定のＯＮＵの誤動作またはその欠陥のある光モジュールもしくはレーザ制御回路が検出されることによって全体のＰＯＮデバイスが麻痺されるというネットワークの問題を阻止できる、ＯＮＵ，ＯＬＴおよびＯＮＵ送信側を制御する方法を提供するよう構成されている。
【００１５】
また本発明は、（Ｇ）Ｅ−ＰＯＮ上の問題が発生しているＯＮＵを除いて他のＯＮＵがサービスを継続的に受信できるようにＯＮＵ，ＯＬＴおよびＯＮＵ送信側を制御する方法を提供するよう構成されている（またはそのような方法を提供することを別の課題とする）。
【００１６】
［発明の構成］
上記の課題を解決するために構成されている本発明の実施例に基づくＯＮＵは光ネットワークユニットであり、この光ネットワークユニットは以下のような機能デバイスを含むイーサネットを基礎とするＰＯＮ（パッシブ・オプティカル・ネットワーク）を構成する：
光トランシーバモジュール；
前述の光トランシーバモジュールに供給される電力をオンオフする電力スイッチ；および、
ｒｅｇｉｓｔｅｒ＿ｒｅｑｕｅｓｔメッセージの受信後にＯＬＴから受信したｒｅｇｉｓｔｅｒメッセージに依存して前述の電力スイッチを制御することにより光トランシーバモジュールの送信側のための電源を遮断するよう構成されているコントローラ。
【００１７】
さらに前述のコントローラは、所定の時間にわたりｒｅｇｉｓｔｅｒ＿ｒｅｑｕｅｓｔメッセージが繰り返し伝送されたにもかかわらずｒｅｇｉｓｔｅｒメッセージが受信されない場合には最終的に前述の送信側のための電源を遮断し、他方では、前述のｒｅｇｉｓｔｅｒ＿ｒｅｑｕｅｓｔメッセージが伝送された後の所定の時間（Ｔ１）内に前述のｒｅｇｉｓｔｅｒメッセージが受信されない場合には前述の光トランシーバモジュールの前述の送信側のための電源を遮断する。
【００１８】
前述の構成に基づき、ｒｅｇｉｓｔｅｒ＿ｒｅｑｕｅｓｔメッセージの受信後に所定の時間内にＯＬＴからｒｅｇｉｓｔｅｒ＿ｒｅｑｕｅｓｔメッセージを受信しない限り、光信号送受信モジュールの送信側の電源が強制的に遮断されるので、全体のＰＯＮ装置を麻痺させる不良な光モジュールまたはレーザドライバによって惹起される問題を解決することができる。
【００１９】
さらに前述のＯＮＵコントローラは、このコントローラが状況自体を診断できない状況においても別の局の支援によって送信側への電力を遮断することができる。何故ならば、その別の局もＯＬＴによって送信された光伝送遮断メッセージに応答して送信側電源を遮断するか、さもなければ制御するよう構成されているからである。
【００２０】
また、イーサネットを基礎とするＰＯＮ（パッシブ・オプティカル・ネットワーク）を構成する局側の光回線終端装置である本発明の別の実施例に基づくＯＬＴは以下のような機能装置を有する：
光トランシーバモジュール；
前述の光トランシーバモジュールの送信側を介してＯＮＵから信号が定期的に送信されているかを監視することによりエラーを検出するエラー検出装置；および、
前述のエラー検出装置によってエラーが検出されたＯＮＵに光信号遮断メッセージを送信するよう構成されているコントローラ。
【００２１】
ＯＮＵコントローラは、自身では検出することができないシステムエラー原因を同様の構成のＯＮＵから間接的に取得することによって、光トランシーバモジュール送信側に対する電源を遮断することによって、全体のＰＯＮ装置を麻痺させる可能性がある問題を最終的に阻止することができる。
【００２２】
本発明の別の実施例に基づく、イーサネットを基礎とするＰＯＮを構成するＯＮＵの送信側を制御する方法は、
ＯＮＵの前述の送信側に電力を供給することによってメッセージを伝送する第１段階と、
登録（ｒｅｇｉｓｔｅｒ）メッセージが時間カウンタの開始から終了までの間に受信されるかを検査する第２段階と、
前述の登録メッセージが受信されない場合に前述の送信側に対する電源を遮断した後に所定の時間にわたり前述の第１段階および第２段階を繰り返す第３段階と、
所定の時間にわたり登録要求（ｒｅｇｉｓｔｅｒ＿ｒｅｑｕｅｓｔ）メッセージを繰り返し送信した後に前述の登録メッセージが受信されない場合には前述の送信側に対する電源を最終的に遮断する第４段階とを有する。
【００２３】
本方法はさらに、ＯＬＴによって伝送された光伝送遮断メッセージに応答して前述の送信側に対する電源を遮断する第５段階を含む。
【００２４】
登録要求メッセージの受信後の所定の時間内にＯＬＴからｒｅｇｉｓｔｅｒ＿ｒｅｑｕｅｓｔメッセージを受信しない限り、光信号送受信モジュールの送信側の電源が強制的に遮断されるので、本方法は全体のＰＯＮ装置を麻痺させる不良な光モジュールまたはレーザドライバによって惹起される問題を解決することもできる。
【００２５】
以下では所望の実施例を添付の図面を参照しながらさらに説明する：
本発明の説明において、関連するパブリックドメインの機能または構成の詳細な説明は、そのような詳細な説明により本発明の要点を不必要に不明確にする恐れがあると思われる場合には省略している。
【００２６】
図３は、本発明に基づくＯＮＵコンフィギュレーションを示す；
本発明の実施例においては、イーサネットを基礎とするＰＯＮ、もしくはより詳細には（Ｇ）Ｅ−ＰＯＮを構成する光ネットワークユニットであるＯＮＵはＯＮＵコントローラ（１００）、光トランシーバモジュール（２００）、電力スイッチ（３００）および電源を有する。さらにＯＮＵが一般的な光ネットワークユニットと同じインタフェース部分を有することは自明である。
【００２７】
図３において、光トランシーバモジュールはより広範な意味で光信号送信側（２１０，２２０）および光信号受信側（２３０，２４０）を含むというコンセプトを有する。光トランシーバモジュールは以下において説明するＯＮＵコントローラによる制御に基づき光信号を形成し、その光信号を光ネットワークケーブルを介して伝送する。光トランシーバモジュールは光信号を電気信号に変換した後に光ネットワークケーブル介して伝送することにより、光信号をＯＮＵコントローラ（１００）にも供給する。光トランシーバモジュール（２００）の送信側にはＯＮＵコントローラ（１００）によって制御される電力スイッチ（３００）を介して電源から電力が供給される。
【００２８】
ＷＤＭ（波長分割多重）（３５０）は、個々のＯＮＵ送信側によって伝送された信号を多重化して送信するか、光ネットワークケーブルにおいて受信した信号を逆多重化することにより個々のＯＮＵ受信側へと送信する。
【００２９】
ＦＥＴによって実現されている電力スイッチ（３００）は電源から光トランシーバモジュール（２００）の送信側または受信側に対する電源からの電力をオンオフする。電源経路を以下において説明するＯＮＵコントローラ（１００）によってオンオフすることができる。
【００３０】
ＯＮＵコントローラ（１００）は、光トランシーバモジュール（２００）の送信側に電力が供給された後にｒｅｇｉｓｔｅｒ＿ｒｅｑｕｅｓｔメッセージメッセージに応答するＯＬＴからのｒｅｇｉｓｔｅｒメッセージが受信されない場合には、電力スイッチを制御することによって光トランシーバモジュール（２００）の送信側への電力を遮断する。
【００３１】
より詳細には、ｒｅｇｉｓｔｅｒ＿ｒｅｑｕｅｓｔメッセージを所定の時間にわたり繰り返し伝送したにもかかわらずｒｅｇｉｓｔｅｒメッセージが受信されない場合には前述のコントローラ（１００）が最終的に前述の送信側への電力を遮断し、他方では、前述のｒｅｇｉｓｔｅｒ＿ｒｅｑｕｅｓｔメッセージが伝送された後の所定の時間（Ｔ１）内に前述のｒｅｇｉｓｔｅｒメッセージが受信されない場合には前述の光トランシーバモジュール（２００）の前述の送信側への電力が遮断される。状況に応じて、前記のコントローラ（１００）はＯＬＴからの光伝送遮断メッセージに応答して前述の送信側への電力を遮断することができる。参考までに、前記のコントローラ（１００）をＣＰＵ、ＥＥＰＲＯＭ、ＭＰＣＰ（マルチポイント制御プロトコル）処理エンジン、ＭＡＣ処理部、パケット処理エンジン、レーザドライバ制御部およびソフトウェア論理モジュールに区分することができる。
【００３２】
ＯＮＵのメカニズムまたは動作を、ＯＮＵの送信側の以下の制御フローを示す図４を参照しながら説明する：
第１に、ＯＮＵコントローラ（以下では単に「コントローラ」と記す）（１００）はシステムが初期化された時に時間カウンタおよびエラーカウンタを「０」にセットした後に、ＥＥＰＲＯＭエラー状態を検査する（Ｓ２段階）。そのような検査プロセスによってＥＥＰＲＯＭにエラーデータが記録されると、光トランシーバモジュール（２００）の送信側への電力が遮断された状態に維持される（Ｓ３段階）。
【００３３】
エラーデータがＥＥＰＲＯＭに記憶されておらず、またＬＯＳ（Loss of Signal）が発生しない場合には（Ｓ４段階）（つまり所定のレベルを上回る光信号が通常通りに受信側へと流れる場合）、コントローラ（１００）は０〜１４．４秒のランダム遅延後にレーザドライバ（２１０）を制御することによりｒｅｇｉｓｔｅｒ＿ｒｅｑｕｅｓｔメッセージを伝送する（Ｓ５段階）。欠陥のあるＯＮＵのレーザダイオードがスイッチオンされたままの状態である間に全てのＯＮＵの登録が取り消される場合であっても、レーザダイオードがスイッチオンされてから４．８秒以内に以下において説明する方法により送信側の電源がスイッチオフされるのでＯＮＵを適切に登録することができる。
【００３４】
コントローラはｒｅｇｉｓｔｅｒ＿ｒｅｑｕｅｓｔメッセージが伝送されるようにレーザダイオードのスイッチオン後に時間カウントを開始する。（Ｓ６段階）続いてコントローラは時間カウントが終了する前に（４．８秒以内）いずれかの登録メッセージが受信されるかを検査する（Ｓ７段階）。コントローラはそれを登録メッセージが受信されるかを検査することによって調べることができる。そのような検査によって登録メッセージは受信されたことが確認されると、コントローラ（１００）はタイマを初期化し（Ｓ８段階）、通常の処理を開始する（Ｓ９段階）。換言すれば、ＯＮＵはＯＬＴからの許可を得ることによってフレームを伝送する。
【００３５】
時間カウントの終了前に登録メッセージがＯＬＴより受信されない場合には、レーザドライバ（２１０）が故障しているか、送信側に欠陥があると想定されるのでコントローラ（１００）はエラーカウンタを１増分する（Ｓ１０段階）。エラーカウンタが３にセットされている繰り返し回数まで増分されると、コントローラはＥＥＰＲＯＭにエラーデータを記録（Ｓ１２段階）した後に上記のＳ１段階に戻る。参考までに、正常なＯＮＵと欠陥のあるＯＮＵの両方のレーザドライバが偶然に０〜１４．４秒のランダム遅延時間内に同時にスイッチオンされるか、４．８秒以内に同時にスイッチオフされた場合には、正常なＯＮＵの処理に関しても誤った判断がなされる余地をなくすために前述のエラーカウンタは３にセットされていることを言及しておく。エラーカウンタがセットされた繰り返し回数を下回ったままであれば、コントローラ（１００）はタイマを初期化している間に光トランシーバモジュール（２００）の送信側への電力を遮断する。１４．４秒からランダム遅延時間を引いた時間待機した後にＳ４段階に戻る。欠陥のあるＯＮＵが決して止まることなく繰り返し光信号を伝送する場合に全てのＯＮＵが登録されないようにするために、待機時間の設定によって欠陥のあるＯＮＵのレーザダイオードがスイッチオンされるときとは異なる時点に正常なＯＮＵを適切に登録することができる。
【００３６】
上述したように、登録要求メッセージの受信後の所定の時間内にＯＬＴから登録要求メッセージを受信しない限り、光信号送受信モジュールの送信側の電源が強制的に遮断されるので、本発明に基づくＯＮＵは全体のＰＯＮ装置を麻痺させる不良な光モジュールまたはレーザドライバによって惹起される問題を解決することができる。
【００３７】
本発明の実施例によれば、例えばＯＮＵがＯＬＴにより登録されて通常通りに光トランシーバモジュール（２００）のレーザダイオードによって継続的にスイッチオンの状態にある場合に、ＯＮＵコントローラが光モジュールまたはレーザドライバのエラーを診断できなければ、上述の実施例のやり方ではＯＮＵコントローラは送信側への電力を遮断することができない。そのような問題を以下に説明するようにＯＬＴの支援により解決することができる。
【００３８】
図５は、本発明の実施例に基づくＯＬＴコンフィギュレーションを示す。ＯＬＴはまた光トランシーバモジュール（５００）、ＯＬＴコントローラ（４００）およびエラー検出装置（６００）を有する。図５において、光トランシーバモジュール（５００）は光信号を形成し、ＯＬＴコントローラ（４００）による制御にしたがい光ネットワークケーブルに伝送し、そのような光信号を電気信号に変換することによりＯＬＴコントローラ（４００）に供給する。エラー検出装置（６００）は、光トランシーバモジュール（５００）の受信側の増幅器を介して伝送されたＯＮＵからの信号（ＳＤ：Ｓｉｇｎａｌ  Ｄｅｔｅｃｔ）が所定の時間（または所定の周期）にわたり継続的に伝送されているか否かを監視することにより、ＯＬＴコントローラ（４００）に報告を行う。エラー検出装置（６００）をＣＰＬＤ（Complex Programmable Logic Device）によって実施することができる。ＯＬＴコントローラ（４００）は伝送遮断メッセージを、前述のエラー検出装置（６００）によりエラーがあると検出されたＯＮＵに伝送する。ＯＬＴコントローラ（４００）はＣＰＵ、ＤＢＡ（動的帯域幅割当；Dynamic Bandwidth Allocation）エンジン、ＭＰＣＰエンジン、ＭＡＣエンジンおよびパケット処理エンジンも有する。
【００３９】
以下では前述の構成を有するＯＬＴのメカニズムまたは動作を説明する：光信号が所定のＯＮＵ送信側の誤動作に起因して継続的に受信される場合には、そのような信号はＳＤ信号として光トランシーバモジュール（５４０）の受信側の増幅器（５４０）を介して伝送される。そのようなＳＤ信号が周波数の所定の周期を超える所定の論理レベルに維持される場合には、エラー検出装置（６００）はそれをＯＬＴコントローラ（４００）に報告する。
【００４０】
ＯＬＴコントローラ（４００）は伝送遮断メッセージを、前述のエラー検出装置（６００）によりエラーがあると検出されたＯＮＵに伝送し、そのような状況下ではＯＮＵコントローラはＯＬＴコントローラによって送信された伝送遮断メッセージに応答して光トランシーバモジュールの送信側への電力を遮断する。したがってＯＬＴに送信される信号が遮断される。上述したように、ＯＮＵコントローラがＯＬＴコントローラによって送信された伝送遮断メッセージに応答して光トランシーバモジュールの送信側への電力を遮断するので、自己診断が不可能である状況下では他の局の支援により送信側への電力を遮断することができ、全体のＰＯＮ装置を麻痺させる問題が適切に解決される。
【００４１】
参考までに、本発明の上記の実施例において時間カウンタ値がどのように設定されるかを説明する。
【００４２】
ＯＬＴは通常の場合、ＯＮＵのキューデータに基づき各ＯＮＵに許可を与えるためにＤＢＡ（動的帯域幅割当）を使用する。目下のＤＢＡは発見周波数時間（discovery frequency time）を５０ｍｓに規定しており、これはどれほどの頻度でＯＮＵが発見されるべきかを表す。最大で３２のＯＮＵが発見される場合には１つのＯＮＵを登録するために少なくとも１．６秒（３２×５０ｍｓ）を要する。そのような処理において１つの窓内に２つまたはそれ以上のＯＮＵからのｒｅｇｉｓｔｅｒ＿ｒｅｑｕｅｓｔメッセージが衝突すると、それらのｒｅｇｉｓｔｅｒ＿ｒｅｑｕｅｓｔメッセージをＯＬＴによって認識することはできない。したがって全部で３２のＯＮＵを登録するために要求される最長時間は、正味の要求時間の３倍の４．８秒にセットされる。
【００４３】
［発明の効果］
上述したように、登録要求メッセージの受信後の所定の時間内にＯＬＴから登録要求メッセージを受信しない限り、光信号送受信モジュールの送信側の電源が強制的に遮断されるので、本発明は全体のＰＯＮ装置を麻痺させる不良な光モジュールまたはレーザドライバによって惹起される問題を解決することができるという利点を有する。さらに前述のＯＮＵコントローラは、このコントローラで状況自体を診断することができない状態においても別の局の支援によって、その別の局もＯＬＴによって伝送された光伝送遮断メッセージに応答して送信側の電源を遮断するか、さもなければ制御するよう構成されているので送信側への電力を遮断することができるという利点を有し、したがって全体のＰＯＮ装置を麻痺させる可能性がある問題が解決されるという効果を奏する。
【００４４】
さらに本発明は、１つのＯＮＵにエラーが生じた場合であっても残りのＯＮＵは通常のサービスを実施することができるので、システムの信頼性を向上させることができる。
【００４５】
図面に示した本発明の実施例は参照を目的とした例示的なものに過ぎない。この分野における通常の知識を有するものであれば、そのような例の種々の構成または同一の構成を使用する他の実施例も可能であることが分かる。したがって、本発明の真の技術的な保護範囲は添付の特許請求の範囲よって定められるべきである。
【図面の簡単な説明】
【００４６】
【図１】一般的な（Ｇ）Ｅ−ＰＯＮ構造の概略図を示す。
【図２】（Ｇ）Ｅ−ＰＯＮにおける発見ハンドシェイクメッセージ交換を説明するための図を示す。
【図３】本発明に基づくＯＮＵコンフィギュレーションを示す。
【図４】本発明に基づくＯＮＵ送信側の制御フローを説明するフローチャートを示す。
【図５】本発明に基づくＯＬＴコンフィギュレーションを示す。
【図１】
2009539290.tif 000003
【図２】
2009539290.tif 000004
【図３】
2009539290.tif 000005
【図４】
2009539290.tif 000006
【図５】
2009539290.tif 000007
【国際調査報告】
2009539290.tif 000008
2009539290.tif 000009
2009539290.tif 000010